(57)【特許請求の範囲】
【請求項１】
水上に浮揚させるフロートであって、
中空に成形された合成樹脂製のフロート本体と、
前記フロート本体の上面に突出して設けられ、通気穴を天面に有する突出部と、
前記突出部の前記通気穴の外側に貼着された微多孔膜体と、を備えることを特徴とするフロート。
【請求項２】
前記突出部を覆う通気性の蓋体をさらに備え、
前記蓋体が、その天面と前記微多孔膜体との間に間隙が生じるように、前記突出部を覆うことを特徴とする請求項１に記載のフロート。
【請求項３】
前記蓋体が前記突出部に螺合されることを特徴とする請求項２に記載のフロート。
【請求項４】
前記微多孔膜体が０．１〜１０μｍの径を有する微細孔から構成されていることを特徴とする請求項１から３のいずれか１項に記載のフロート。
【請求項５】
前記微多孔膜体がフラジール形法で５ｃｍ３・ｃｍ−２・ｓ−１の通気度を有することを特徴とする請求項１から４のいずれか１項に記載のフロート。
【請求項６】
ソーラパネルを配置するフロートであることを特徴とする請求項１から５のいずれか１項に記載のフロート。
【請求項７】
ソーラパネル用フロートであって、
請求項１から５のいずれか１項に記載のフロートと、
前記フロートの上面に設けられ、ソーラパネルを所定の角度に支持する第１の支持部及び第２の支持部と、を備えることを特徴とするソーラパネル用フロート。
【発明の詳細な説明】
【技術分野】
【０００１】
本発明は、フロート及びソーラーパネル用フロートに関する。
【背景技術】
【０００２】
水上に浮揚させる合成樹脂製の中空のフロートは、近年、その浮力を利用して、種々の用途に用いられるようになってきている。例えば、太陽光を電力に変換する太陽光発電として活用されているソーラパネル（太陽電池パネル、太陽電池モジュールとも称される）は、従来、主に建築物の屋根や壁面、土地などの陸上に設置されてきたが、近年は、ソーラパネル用フロート上に配置して遊休化している池や湖などの水上に設置する例が多く試みられている。その他にも、フロートは、艀、浮橋、養殖用いかだの足場などとしてもよく利用されている。
【０００３】
合成樹脂製の中空のフロートは、設置に伴う施工及び維持管理の容易性、優秀な軽量性及び耐久性、安価なコストなどの面から、上述の用途に好適に用いられるが、水上という野外のため、天候特に温度の変化によって内部の気体が膨張・収縮することに伴い、合成樹脂製のフロート本体に変形を生じる場合がある。変形が生じると、表面に傾斜が生まれ、配置されているソーラパネルが所望の角度で太陽に対向できずに太陽光発電の効率が低下したり、甚だしい場合にはソーラパネルがフロートから落下したり、また、維持管理のために作業者がフロート上を移動するのに支障が出たりするなどの問題が起こる。
【０００４】
合成樹脂製の中空のものとしては、フロートの他にも、例えば食事用のテーブルとして利用されているものがある（特許文献１を参照）。特許文献１では、テーブルを温水洗浄や加熱消毒するときに、テーブル内の気体が膨張し、テーブルを構成する合成樹脂が変形したり損傷したりすることが報告されており、テーブル内部の気体を外部へ通すように、微多孔膜で塞いだ通孔を設けることが提案されている。しかし、水上に浮揚させるという全く異なる自然環境下におけるフロートにおいて、いかなる微多孔膜とするか、その微多孔膜をいかように保護して自然環境下における使用に耐えるものとするかなどについては、何ら開示されていない。
【先行技術文献】
【特許文献】
【０００５】
【特許文献１】特開平１１−９３５１号公報
【発明の概要】
【発明が解決しようとする課題】
【０００６】
本発明は、このような事情に鑑みてなされたものであり、その目的は、環境温度変化により内部の気体が膨張・収縮しても、合成樹脂製の本体の変形を抑制可能なフロートを提供することにある。
【課題を解決するための手段】
【０００７】
本発明は、以下の構成によって把握される。
（１）本発明に係る第１の態様は、フロートであって、フロートであって、中空に成形された合成樹脂製の本体と、前記本体の上面に突出して設けられ、通気穴を有する突出部と、前記通気穴の外側に貼着された微多孔膜体と、を備えることを特徴とする。
【０００８】
（２）上記（１）の構成において、前記突出部を覆う通気性の蓋体をさらに備え、前記蓋体は、その天面と前記微多孔膜体との間に間隙が生じるように、前記突出部を覆ってもよい。
【０００９】
（３）上記（２）の構成において、前記蓋体は、前記突出部に螺合されてもよい。
【００１０】
（４）上記（１）から（３）のいずれか１つの構成において、前記微多孔膜体は、０．１〜１０μｍの径を有する微細孔から構成されてもよい。
【００１１】
（５）上記（１）から（４）のいずれか１つの構成において、前記微多孔膜体は、フラジール形法で５ｃｍ−３・ｃｍ−２・ｓ−１の通気度を有してもよい。
【００１２】
（６）本発明に係る第２の態様は、ソーラパネル用フロートであって、ソーラパネル用フロートであって、上記（１）から（５）のいずれか１つに記載のフロートと、前記フロートの上面に設けられ、ソーラパネルを所定の角度に支持する第１の支持部及び第２の支持部と、を備えることを特徴とする。
【発明の効果】
【００１３】
本発明によれば、環境温度変化により内部の気体が膨張・収縮しても、合成樹脂製の本体の変形を抑制可能なフロートを提供することができる。
【図面の簡単な説明】
【００１４】
【図１】本発明の実施形態に係るソーラパネル用フロートであってソーラパネルを透視して示す斜視図である。
【図２】本発明の実施形態に係るソーラパネル用フロートの構成図で、（ａ）は平面図、（ｂ）は（ａ）のｂ−ｂ線における断面図、（ｃ）は（ｂ）の丸枠内における拡大図である。
【図３】本実施形態に係るソーラーパネルの第１の支持部を示す拡大図である。
【図４】本発明の実施形態に係る通気穴の処理を模式的に示す斜視図であって、（ａ）は通気穴を有する突出部を設ける図、（ｂ）は通気穴に微多孔膜体を貼着する図、（ｃ）は突出部を蓋体で覆った図、（ｄ）は（ｃ）の状態の断面を示す図である。
【図５】本発明の実施形態に係る微多孔膜体の例を示す図であって、（ａ）は平面図、（ｂ）は断面図である。
【発明を実施するための形態】
【００１５】
以下、添付図面を参照して、本発明を実施するための形態（以下、「実施形態」と称する）について詳細に説明する。なお、実施形態の説明の全体を通して同じ要素には同じ番号を付している。
【００１６】
本発明に係るフロート１０は、池、湖、川、海などの水上に浮揚させるものであって、浮力を得るためにその内部が中空となっており、その上面にソーラパネルを載置したり、フロート１０自体を艀、浮橋、養殖用のいかだなどとして活用したりすることができる。以下ではフロート１０を、ソーラパネル用フロート１０として説明するが、それに限定されないことはいうまでもない。
【００１７】
（ソーラパネル用フロート１０の全体構成）
まず、ソーラパネル用フロート１０の全体構成を図１に基づいて説明する。また、実施形態及び図中において、「前」は、傾斜したソーラパネルの正面側を水平方向に見たときの「奥」方向を示し、「後」は、「手前」方向を示す。「左」、「右」は、各々、傾斜したソーラパネルの正面側を水平方向に見たときの「左」方向、「右」方向を示す。
【００１８】
図１に示すように、実施形態のソーラパネル用フロート１０は、略四角形状（この例では、略正方形状）のソーラパネル１１を池や湖などの水上に設置するためのフロートである。このソーラパネル用フロート１０では、ソーラパネル１１を水平方向に対して傾斜させて水上に設置する。なお、ソーラパネル１１の傾斜角θは、地域などに応じて発電に最適な所定の角度に設定される。
【００１９】
ソーラパネル用フロート１０は、中空に成形された合成樹脂製のフロート本体２０を備える。フロート本体２０は、例えば、溶融状態の筒状のパリソンを複数の分割金型で挟んで膨らますブロー成形によって製造される。成形材料には、各種の合成樹脂を用いることができるが、例えば、ポリエチレンやポリプロピレンなどのポリオレフィン系樹脂を用いることができる。
【００２０】
フロート本体２０の層構造としては、中空部１２を介して対向する上壁１３及び下壁１５からなる。上壁１３と下壁１５は、パーティングラインＰＬで溶着されており、これにより、中空部１２が閉じた空間となる。
【００２１】
なお、フロート本体２０の製造は、ブロー成形に格別に限定されるものではない。例えば、筒状のパリソンの代わりに２枚の溶融状態のシートを一対の分割金型の間に配置し、シートと分割金型との間の密閉空間を吸引することで、２枚のシートの間に中空部を有するフロート本体を製造してもよい。このような成形法では、２枚のシートの間に発泡材料等を芯材として入れることが容易であるため、より剛性の高いフロート本体が得られる。
【００２２】
フロート本体２０は、環状フロート部３０と、この環状フロート部３０の内側に形成されソーラパネル１１を支持する略四角形状（この例では、左右方向に長い略長方形状）の第１の支持板部４０（この明細書において、第１の支持部と称する場合がある）を有する。さらに、ソーラパネル用フロート１０は、ソーラパネル１１を取付け可能な第１の取付け部材６０を備える。
【００２３】
ソーラパネル用フロート１０は、ここでは図示していないが、水上において前後方向及び左右方向に複数配置されることにより、複数のソーラパネル１１を敷き詰めて設置することができる。前後方向に隣り合う２つのソーラパネル用フロート１０は、雌ねじ部材８０及び雄ねじ部材８１によって締結される。一方、左右方向に隣り合う２つのソーラパネル用フロート１０は、雄ねじ部材８１及び雌ねじ部材８０で共締めされる連結部材（不図示）によって連結される。なお、各ソーラパネル用フロート１０は、アンカー（不図示）により、水上の一定の場所に停留させることが可能である。
【００２４】
（環状フロート部３０の構成）
次に、環状フロート部３０の構成を図２に基づいて説明する。図２（ａ）に示すように、環状フロート部３０は、平面視で略四角形状（この例では、前後方向に長い略長方形状）に形成される。この環状フロート部３０には、その前側の辺部及びその後側の辺部のそれぞれに沿って前側連結部３１及び後側連結部３２が一体に形成される。また、環状フロート部３０の内周３０ａは、前側開口部３３を含み、前側開口部３３の後方には、左右の側壁面３６を連結する平板部３７が形成される。前側開口部３３は、第１の支持板部４０が切り起されることで形成される穴である。
【００２５】
前側連結部３１は、上側に偏在する薄板部であり、環状フロート部３０の基本的な厚みの約半分の厚みで形成される。前側連結部３１の裏面の略中央部には、上側に凹む嵌合穴３１ａが形成される。
【００２６】
前側連結部３１の左右の前側角部３１ｂは、前側連結部３１の基本的な厚みよりもさらに薄く形成された圧縮成形部である。前側角部３１ｂには、上下方向に貫通する前側貫通穴３１ｃが形成される。さらに、前側貫通穴３１ｃの後側近傍には、連結部材（不図示）が係合する係合凹部３１ｄが形成される。
【００２７】
後側連結部３２は、下側に偏在する薄板部であり、環状フロート部３０の基本的な厚みの約半分の厚みで形成される。後側連結部３２の上面の略中央部には、上側に突出する突起３２ａが形成される。さらに後側連結部３２は、前側に隣接する他のソーラパネル用フロート１０の嵌合穴３１ａに突起３２ａを嵌合させた状態で、他のソーラパネル用フロート１０の前側連結部３１の下側に重ね合わさる。
【００２８】
後側連結部３２の左右の後側角部３２ｂは、後側連結部３２の基本的な厚みよりもさらに薄く形成された圧縮成形部である。後側角部３２ｂには、上下方向に貫通する後側貫通穴３２ｃが形成される。この後側貫通穴３２ｃには、雌ねじ部材８０が組み付けられる。
【００２９】
左右の側壁面３６の前端部には、第１の支持板部４０の起立状態を保持する凸状の前側係合部３６ｆが形成される。左の側壁面３６のさらに左側には、フロート１０をブロー成形によって中空体に成形した場合に形成されるブロー穴２０１が位置している。ブロー穴２０１については、詳しくは後述する。
【００３０】
なお、フロート本体２０においては、補強用の凹状リブ（不図示）を必要に応じて各部に設けることができる。凹状リブの形態は、任意であり、例えば、溝状又は筒状（略円筒形状、略円錐台形状を含む）に凹む形態や、上壁１３の下壁１５の対向面それぞれを凹ませてその先端面同士を溶着した形態など各種の形態から選択可能である。
【００３１】
（第１の支持部（第１の支持板部）４０の構成）
続いて、第１の支持板部４０の構成を図２（ｂ）に基づいて説明する。図２（ｂ）に示すように、第１の支持板部４０は、前側開口部３３の前側の壁面３８ｆに下辺部４１が一体に形成されるとともに前側の壁面３８ｆに沿って立ち上がる。また、第１の支持板部４０の側辺部４２は、前側係合部３６ｆの前縁に係合されており、前側係合部３６ｆと前側の壁面３８ｆの間に挟まれてその起立状態が保持される。さらに、第１の支持板部４０の高さＨ１は、後述する第２の支持部である溝部８０’よりも高く設定される。そして、第１の支持板部４０は、第１の取付け部材６０を介して、その上辺部４３でソーラパネル１１の上縁部１１ｕを支持する。
【００３２】
第１の支持板部４０は、次のような手順で組み立てられる。この組立て方法は、フロート本体２０の中空成形体２０Ａを準備する工程（Ａ）と、中空成形体２０Ａを部分的に切断する切断工程（Ｂ）と、切断した部分を起す折り曲げ工程（Ｃ）とからなる。
【００３３】
工程（Ａ）では、フロート本体２０のブロー成形時に、環状フロート部３０の内周３０ａに、第１の支持板部４０に相当する略四角形状の平板部を一体に形成した中空体を準備する。平板部は、内周３０ａを塞ぐように内周３０ａのパーティングラインＰＬ（図１参照）上に設定される。平板部には、第１の支持板部４０の外形線に対応する環状の潰し部を形成しておくが、この潰し部は、上壁１３と下壁１５が溶着されて圧縮成形される部分であり、他の部分よりも薄肉に形成される。
【００３４】
工程（Ｂ）では、第１の支持板部４０の下辺部４１に相当する部分を残して、潰し部の３つの辺部を切断刃などで切断する。このように潰し部を切断することによって、前述した前側開口部３３及び平板部３７の輪郭が形成される。
【００３５】
工程（Ｃ）では、平板部を、下辺部４１となる直線部分をヒンジとして機能させて、この直線部分を折り曲げ支点としてを上方に切り起こす。そして、この切り起こされた平板部からなる第１の支持板部４０を、さらに上方に回動させ、前側の壁面３８ｆに押し付ける。この際、第１の支持板部４０の側辺部４２が、前側係合部３６ｆを乗り越える。これにより、第１の支持板部４０は、環状フロート部３０に対してその起立状態が保持される（仮止めされる）。
【００３６】
（第１の取付け部材６０の構成）
次に、第１の取付け部材６０の構成を図３に基づいて説明する。図３に示すように、第１の取付け部材６０は、第１の支持板部４０の上辺部４３とソーラパネル１１の上縁部１１ｕ（図１参照）との間に介在する部材である。第１の取付け部材６０は、左右方向に延びる後側に開放した嵌合溝部６１を有する。この嵌合溝部６１には、ソーラパネル１１の上縁部１１ｕが嵌合可能である。
【００３７】
第１の取付け部材６０の幅Ｗ１は、第１の支持板部４０の上辺部４３の幅Ｗ２よりも広く設定される。この例では、第１の取付け部材６０の幅Ｗ１をソーラパネル１１の上縁部１１ｕの幅ＷＳ（図１参照）と同程度又はそれよりも若干小さく設定する。第１の取付け部材６０を構成する材料には、合成樹脂など各種の材料を用いることができる。
【００３８】
第１の取付け部材６０の上端部の前部及び後部のそれぞれには、凸部６５と凹部６６が左右方向に交互に形成される。また、前側の凸部６５と後側の凹部６６は前後方向に対向する。一方、第１の支持板部４０の上辺部４３には、第１の取付け部材６０の凸部６５及び凹部６６に噛み合わさる凸部４５及び凹部４６が形成される。これにより、第１の取付け部材６０は、凸部６５及び凹部６６が、凸部４５及び凹部４６に噛み合わされることで、第１の支持板部４０の上辺部４３を前後方向から挟み、かつ、左右方向の移動が阻止された状態で第１の支持板部４０に取り付けられる。また、この例では、第１の取付け部材６０は、第１の支持板部４０に対して、左右方向の中央位置が揃えられた状態で取り付けられる。
【００３９】
（第２の支持部（溝部）８０’）の構成）
第２の支持部は、環状フロート部３０に形成された溝部８０’によって形成されている。これにより、第１の支持部だけにおいて支持板部（第１の支持板部４０）が形成され、環状フロート部３０は該第１の支持板部４０の形成の反映としての開口部３３を１個有するようになっている。第２の支持部である溝部８０’は、図２（ｃ）に示すように、環状フロート部３０の上壁１３に該環状フロート部３０に対して角度θの傾きをもって第１の支持板部４０側に開口を有するように形成されている。これにより、ソーラパネル１１は、図２（ｂ）に示すように、他側の縁部が第２の支持部である溝部８０’に係止され、一側の縁部が第１の支持板部４０によって支持されることによって、環状フロート部３０に対して角度θで傾斜されるように配置できるようになる。
【００４０】
（ソーラパネル１１の取付け構造）
ソーラパネル１１は、第１の支持部である第１の支持板部４０と第２の支持部である溝部８０’とによって支持される。ソーラパネル１１の取付け構造の一例としては、図３に示すように、例えば、ソーラパネル１１の上縁部１１ｕでは、ソーラパネル１１の外周に設けられる枠（例えば、アルミニウム製の枠）の部分を第１の取付け部材６０の断面略コの字状の嵌合溝部６１に差し込んで嵌合する。そして、第１の取付け部材６０の前側からビスなどの雄ねじ部材１６で枠１１ａと第１の取付け部材６０とを締結する。また、ソーラパネル１１の傾斜角θに合わせて、嵌合溝部６１を後下方に向けて開放する形状に形成してもよい。
【００４１】
（通気穴２０１及び微多孔膜体２０３の構成）
フロート１０は、前述したように、中空体として構成されている。ブロー成形によって成形する場合、ブロー成形では、押出し機によって成形材料を溶融し、ヘッドを通り筒状に形成された２本のパリソンを一対の金型内に挟み込み、その内側に一方の金型に設けた吹き込み針を介して気体を吹き込み、その圧力で一対の金型の内面にパリソンを押しつけて中空体を成形する。なお、この際、ヘッドを一対のもので構成し、それぞれから１本のパリソンを押し出すようにしてもよい。
【００４２】
このようにブロー成形によって中空体すなわちフロート１０を成形する場合、気体を吹き込む吹き込み針を抜き取った跡に、フロート１０の内外を貫通するブロー穴２０１が形成されることとなる。フロート１０は水上に浮揚させるものであることから、水上に施工後、ブロー穴２０１をそのままに放置すると、たとえ上側に位置させていたとしても、波浪などによってブロー穴２０１からフロート１０の内部に水が浸入し、甚だしいときにはフロート１０が水没するおそれが生じる。
【００４３】
このような事態を防ぐため、成形の際に生じるブロー穴２０１は溶着する必要があり、通常、スピン溶着により封止されている。スピン溶着は、一方の部材であるフロート１０を固定し、他方の部材である栓を回転させ加圧して、接触面で発生する摩擦熱を利用した溶着方法である。溶け量も多くとることもできるため気密性や水密性を確保しやすい。そして、さらに、スピン溶着の栓が脱落しないよう封止部にホットメルト処理を施し、溶着部にゴムシートを貼り付ける。しかし、スピン溶着では気密性や水密性がよいため、環境温度変化により、フロート１０の内部の気体が膨張したときに気体を外部に放出することができず、合成樹脂製のフロート１０に変形を生じる場合がある。
【００４４】
本実施形態では、このような事態を避けるため、ブロー穴２０１を通気穴として活用し、ブロー穴２０１に微多孔膜体２０３を貼着して、フロート１０外部からフロート１０内部への水の浸入を防ぐとともに、フロート１０内部において環境温度変化によって気体が膨張した際に気体のみをフロート１０外部へ放出する。いわば、フロート１０に、環境温度変化による内部の気体の膨張、収縮に応じて呼吸をさせる機能を持たせるものである。
【００４５】
なお、前述したように、フロート本体２０の製造は、ブロー成形に格別に限定されるものではない。例えば、筒状のパリソンの代わりに２枚の溶融状態のシートを一対の分割金型の間に配置し、シートと分割金型との間の密閉空間を吸引することで、２枚のシートの間に中空部を有するフロート本体を製造してもよい。したがって、このような場合にはブロー穴２０１は形成されないため、フロート１０の内部の気体の膨張を抑制するために、中空部が完成した後に、通気穴として穿設穴２０１を積極的に設けることが求められる。これ以降、フロート１０の内部と外部とを連通する穴は、ブロー穴２０１及び穿設穴２０１を含めて通気穴２０１と称する。
【００４６】
具体的には、図４（ａ）に示すように、フロート１０は、通気穴２０１を天面に有する突出部２０２を備えている。そして、図４（ｂ）に示すように、通気穴２０１の外側には、フロート１０の内部と外部とを連通させるため、微多孔膜体２０３が貼着されている。なお、フロート１０と突出部２０２との相対的な大きさは、フロート１０の用途や使用の便宜を考慮して任意に設定してよく、図示されている相対的な大きさは一例であって、これに限られるものではない。
【００４７】
通気穴２０１を突出部２０２の天面に設けたのは、微多孔膜体２０３自体が水（雨や波など）によって塞がれることを防止するためである。例えば、フロート１０上面に水がのった場合、通気穴２０１がフラットな場所や凹部に設けてあると、その箇所が水たまりのようになってしまう。微多孔膜体２０３は内部が中空のため、一度たわみ始めるとその箇所を中心に凹んでいき、より一層水がたまりやすくなる。そうすると、フロート１０内部への水の侵入は防ぐことはできたとしても、フロート１０の呼吸を阻害してしまうことになる。その結果、外気温が上昇した際にフロート１０が膨張し変形を起こす。このようなことを防止するため、微多孔膜体２０３を突出部２０２の天面に設けて突出させることにより、微多孔膜体２０３自体が水によって塞がれることを確実に防止する。
【００４８】
さらに、図４（ｃ）に示すように、微多孔膜体２０３は、貼着したのみでは経年変化や外部からの力により剥離される懸念があるため、容器のキャップのような形状の蓋体２０４を作成し、突出部２０２の周囲を蓋体２０４で覆うことが好ましい。その際、蓋体２０４によってソーラパネル用フロート１０が気密とならないよう、蓋体２０４にはその先端に穴をあけるなどして通気性を確保し、また、図４（ｄ）に示すように、蓋体２０４の天面と微多孔膜体２０３との間には蓋体２０４を完全に閉鎖した状態でも間隙が生じるように設定する。なお、図４では、蓋体２０４が突出部２０２に螺合によって係止されている例を示しているが、螺合に限らず、例えば嵌合することによって係止してもよい。
【００４９】
微多孔膜体２０３は、図５に示すように、三層構造を有しており、中層に微多孔膜層２０３ａ、上層にパッキング材層２０３ｂ、下層に粘着層２０３ｃを有する。微多孔膜層２０３ａとしてはポリテトラフルオロエチレン（ＰＴＦＥ）を、パッキング材層２０３ｂとしてはポリエステルネットを、粘着層２０３ｃとしては不織布基材から構成されるアクリル粘着層を、それぞれ好適に用いることができる。微多孔膜層２０３ａは、０．１〜１０μｍの径を有する微細孔から構成されており、１００〜３０００μｍの径を有する水の侵入を防ぐとともに、０．０００４μｍの径を有する気体（水蒸気）の透過を許容する。ＪＩＳ  Ｐ  ８１１７準拠で、フラジール形法で５ｃｍ３・ｃｍ−２・ｓ−１の通気性のものを好適に用いることができる。
【実施例】
【００５０】
本実施形態に係るソーラパネル用フロート１０の通気性を検討するため、膨張の程度を検証した実験について、その結果を説明する。
【００５１】
（条件）
ソーラパネル用フロート１０のサンプルとして、容積が約２００Ｌ、通気穴の径が８ｍｍのものを用意した。温度は、２３℃から４７℃まで、１．５時間で変化させた。
【００５２】
（実施例）
通気穴２０１に微多孔膜体２０３を貼着し、ＪＩＳ  Ｐ  ８１１７準拠で、通気度を測定した。微多孔膜は日東電工株式会社製のティミッシュＳ−ＮＴＦ１０３３−Ｎ０６Ｔを用い、そのスペックは次のとおりである（図５参照）。
・外径ＥＤ：φ１４ｍｍ
・内径ＩＤ：φ８ｍｍ
・総厚Ｔ：０．２５ｍｍ
・膜厚ｔ：０．１ｍｍ
・公称孔径：０．６μｍ
・通気度：５ｃｍ３・ｃｍ−２・ｓ−１（フラジール形法）。実験に用いた通気穴２０１の径が８ｍｍであることを反映させると、通気度は２．５ｃｍ３・ｓ−１となる。
【００５３】
（比較例）
通気穴２０１をスピン溶着にて封止し、さらにスピン溶着の栓が脱落しないよう封止部にホットメルト処理を施した。
【００５４】
（結果）
比較例では、２３℃から４７℃までの温度変化に対し、約１５Ｌ（当初の容積に対して約７．５％）の膨張がみられた。実施例と比較例の対比にあたっては、ソーラパネル用フロート１０の傾斜が問題となるところから、ソーラパネル用フロート１０を水平に静置したときの周縁端部の上下方向の寸法変化で測定した。そうすると、比較例が約１７ｍｍの寸法変化であったのに対し、実施例では約５ｍｍとなり、概ね１／３以下の寸法変化に止まった。これにより、通気穴２０１を封止せずに微多孔膜体２０３で覆うことによる効果が確かめられた。
【００５５】
なお、比較例における膨張分の容積１５Ｌ（１５０００ｃｍ３）を１．５時間すなわち５４００秒で除算すると２．７ｃｍ３・ｓ−１となるが、この数値の通気度を有する微多孔膜体２０３を使用すると、理論的には、膨張を避けることが可能となる。
【００５６】
以上、実施形態及び実施例を用いて本発明を説明したが、本発明の技術的範囲は上記実施形態及び実施例に記載の範囲には限定されないことは言うまでもない。上記実施形態及び実施例に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００５７】
１０…ソーラパネル用フロート
１１…ソーラパネル
１１ｕ…上縁部（一側の縁部）
１１ｄ…下縁部（他側の縁部）
２０…フロート本体
２０１…通気穴（ブロー穴、穿設穴）
２０２…突出部
２０３…微多孔膜体
２０４…蓋体
３０…環状フロート部
３０ａ…内周
３８ｆ…前側の壁面（一側の壁面）
４０…第１の支持板部（第１の支持部）
４１…下辺部
４２…側辺部
４３…上辺部
８０’…溝部（第２の支持部）
【図１】
0006697154.tif 000002
【図２】
0006697154.tif 000003
【図３】
0006697154.tif 000004
【図４】
0006697154.tif 000005
【図５】
0006697154.tif 000006